(57)【要約】  【課題】本発明は、手軽に最適な音響空間を得ることが出来、且つ、最適なリスニングポジションを予め知ることが出来る上、その最適なリスニングポジションで音響を楽しむことが出来る音響室を提供せんとするものである。  【解決手段】  本発明の閉多面音響室は、略中空正十二面体形に画成された、十分に人が入ることが可能な大きさの略閉空間を備え、該略閉空間を成す壁面に、フラットパネルスピーカユニット等の電気音響変換手段が該略閉空間に向けて配設され、該略閉空間を成す壁面の一面に出入口が設えられ、該電気音響変換手段を駆動することによって、該略閉空間内を音場とすることを特徴とする。  【選択図】図１
2009128722.tif 000002
【特許請求の範囲】
【請求項１】
略中空多面体形に画成された、十分に人が入ることが可能な大きさの略閉空間を備え、
上記略閉空間を成す壁面のうち、一面以上の壁面に、一つ以上の電気音響変換手段が上記略閉空間に向けて配設され、
上記略閉空間を成す壁面のうち、一面以上の壁面に、一つ以上の出入口が設えられ、
上記電気音響変換手段を駆動することによって、上記略閉空間内を音場とすることを特徴とする閉多面音響室。
【請求項２】
前記略閉空間は、略多角形状の板面を有する複数のパネルを、適宜に組み合わせて画成されたことを特徴とする請求項１記載の閉多面音響室。
【請求項３】
前記略閉空間を成す略中空多面体形状が、略正多面体形であることを特徴とする請求項１又は２記載の閉多面音響室。
【請求項４】
前記略正多面体が、略正十二面体であることを特徴とする請求項３記載の閉多面音響室。
【請求項５】
前記略閉空間を成す壁面のうち、一面以上の壁面が、光透過性の素材を含んで構成され、該素材を含んで構成された壁面の該素材を通して、該略閉空間内から外部が視認可能に構成されたことを特徴とする請求項１乃至４のいずれかに記載の閉多面音響室。
【請求項６】
前記出入口が、扉部材によって開閉自在に構成されたことを特徴とする請求項１乃至５のいずれかに記載の閉多面音響室。
【請求項７】
前記略中空多面体形によって画成されて成る前記略閉空間の外形が、略多面体形を成すことを特徴とする請求項１乃至６のいずれかに記載の閉多面音響室。
【請求項８】
前記略中空多面体形によって画成されて成る前記略閉空間の外形が、略正多面体形を成すことを特徴とする請求項１乃至６のいずれかに記載の閉多面音響室。
【請求項９】
前記略中空多面体形によって画成されて成る前記略閉空間の外形が、略正十二面体形を成すことを特徴とする請求項１乃至６のいずれかに記載の閉多面音響室。
【請求項１０】
前記電気音響変換手段が、平面波発生手段であることを特徴とする請求項１乃至９のいずれかに記載の閉多面音響室。
【請求項１１】
平面波発生手段が、永久磁石と平面コイルとを組み合わせて構成されたフラットパネルスピーカであることを特徴とする請求項１０記載の閉多面音響室。
【請求項１２】
平面波発生手段が、前記略閉空間を成す一壁面の外面のほぼ中央に固設され、該一壁面のほぼ全体を振動させて、該略閉空間内に平面波を作出することを特徴とする請求項１０記載の閉多面音響室。
【請求項１３】
前記パネル同士の接合部には、緩衝材が介在されることを特徴とする請求項１乃至１２のいずれかに記載の閉多面音響室。
【請求項１４】
前記閉多面音響室が、適宜に形成された複数の部材を、所要に組み合わせて構成出来、且つ、組立分解自在に構成されたことを特徴とする請求項１乃至１３のいずれかに記載の閉多面音響室。
【請求項１５】
前記閉多面音響室が、室内に設置されることを特徴とする請求項１乃至１３のいずれかに記載の閉多面音響室。
【請求項１６】
前記閉多面音響室が、屋外に設置されることを特徴とする請求項１乃至１３のいずれかに記載の閉多面音響室。
【請求項１７】
前記略中空多面体形によって画成されて成る前記略閉空間の外面には、文字、記号、図形、絵柄等を含んだ情報が表示されることを特徴とする請求項１乃至１６のいずれかに記載の閉多面音響室。 
【発明の詳細な説明】
【技術分野】
【０００１】
本発明は、略多角形状の板面を有するパネルを適宜に組み合わせて略中空多面体形の略閉空間を成す適宜の壁面に、電気音響変換手段を配設し、該略閉空間内を音場とする閉多面音響室に係り、特に前記閉多面音響室の内壁面が全体として略正多面体を成し、前記電気音響変換手段が平面波を作出する平面波発生手段である閉多面音響室に関する。
【背景技術】
【０００２】
トランドューサとも呼ばれる電気音響変換装置、若しくは、スピーカとしては、コーン型或いはドーム型等のように球面波を発生する球面波発生装置の他、フラットパネルスピーカ等とも呼ばれる平面波を発生するスピーカをはじめとする平面波発生装置が知られている。
【０００３】
コーン型或いはドーム型スピーカを用いた電気音響変換装置は、コーンやドームの背面側へ発せられた音が前方に回り込まないようにエンクロージャとも呼ばれる所謂スピーカボックスを必要とする。従来のスピーカーボックスとしては、例えば、特許文献１に開示されているように、三角形のパネル四枚を適宜組み合わせて構成された四面体形の物、或いは、六枚のパネルによって直方体状に画成された一般的な物の他、特許文献２に開示されているように、六枚のパネルによって六角柱状に囲繞されその天面と底面をそれぞれ閉止して八面体状に画成された物、或いは、特許文献３乃至６に開示されているように、正五角形のパネル十二枚を互いに組み合わせて正十二面体形に形成されたスピーカボックス等が知られている。
【０００４】
一般的なスピーカは、直方体状に画成されて成るスピーカボックスの一面に、一つ乃至三つのスピーカを配設するためのスピーカ孔が貫設され、該スピーカ孔にそれぞれコーン型スピーカが外方に向けて配設されて構成される。このように構成されるスピーカによる音波は、一つ乃至三つの各コーンから発せられた球面波が互いに重なり合いながらコーンの向いた外方に向かって該コーンを中心として散音する。即ち、この種のスピーカによる音波は、球面波特有の指向性を以て放射され、音源から遠退く程、音圧が著しく減衰しながら散音する。
【０００５】
このような球面波スピーカの指向特性や散音特性から、原音に対するより忠実な再生音を得る為に、従来、様々なスピーカ配置が考えられている。その基本となるのが５．１ｃｈのサラウンド・サウンドである。この５．１ｃｈのサラウンド・サウンドにおけるスピーカ配置は、通常のステレオスピーカと同様に、聴く人の位置、即ちリスニングポジションの前方左右にフロントサイドスピーカをそれぞれ一つずつ配置する。更に、それらフロントサイドスピーカの中央にフロントセンタースピーカを配置する。そして、リスニングポジションの後方左右若しくは横左右に、リアスピーカ若しくはサラウンドスピーカとも呼ばれるスピーカをそれぞれ一つずつ配置する。
【０００６】
５．１ｃｈのサラウンド・サウンドにおいては、このように五つのスピーカを所要のポジションに配置することによって、後方から聞こえる音を再現する他、音の反響等が表現できるようになるため臨場感が格段に増す。通常は、これに対して更に、低音域専用のサブウーファを加え、全体の迫力を強化することが成される。 
【０００７】
通常、カラオケボックスの各室や自宅の部屋等にスピーカを配置する場合には、室内の低い位置にスピーカを配置すると、スピーカ自体が邪魔になること或いは、家具等が音響の邪魔になるなどといった理由からスピーカが部屋の天井コーナ部や壁面の高い位置に設置されることが少なくない。この意味から室内設置、特に天井コーナ部に対する設置がし易いように構成されたスピーカもあった。この種のスピーカとしては、例えば、特許文献７に開示されている物が挙げられる。
【０００８】
この他、内壁に設置された一つのスピーカで、その室内のあらゆる方向に対してほぼ等質に放音することができるよに工夫された物として、例えば、特許文献８に開示されているスピーカを挙げることができる。
【０００９】
他方、平面波を発生させる平面波発生装置では、背面側へ出た音が殆ど前方へ回り込まない為、基本的にはスピーカボックスを必要としない。平面波発生装置においても、ときとして、背面側に放音させないためにスピーカボックスを設定することがあるものの、その容量は必要とされないことからスピーカボックスの厚さは薄くて済む。従って、平面波発生装置では、コーン型スピーカに比べて大幅な減容化や軽量化を図ることが出来る。
【００１０】
また、平面波発生装置による平面波は、球面波と異なり、元来、直進性が高く高指向性であり、その分、散音し難い為にコーン型スピーカとの比較でより遠くまで音が届く性質がある。このような平面波発生装置の特性をより高度に向上させた平面波発生装置が、特許文献９に開示されている。
【特許文献１】実開平７−３９１９１号公報
【特許文献２】特開平１１−１５５１８２号公報
【特許文献３】特開２００５−５１６９４号公報
【特許文献４】特開２００６−３３３２２６号公報
【特許文献５】特開２００６−３３３２２７号公報
【特許文献６】特開２００６−３３２９９８号公報
【特許文献７】実開昭６０−４４５８５号公報
【特許文献８】実開昭６２−９５３８９号公報
【特許文献９】特開２００５−２７０２０号公報
【発明の開示】
【発明が解決しようとする課題】
【００１１】
以上説明したように、従来のスピーカは、四面体乃至十二面体等の多面体形状のスピーカボックスの適宜の面に、球面波乃至平面波を発生させる音波発生モジュールである電気音響変換手段が外方に向けて装置されて成り、該電気音響変換手段の駆動時には、スピーカボックスの外部に向かって放音されるように構成されている。
【００１２】
そして、それらのように構成された従来のスピーカは、所望の部屋の適宜の箇所に配置され、該スピーカを配置してなる該部屋が、適当な音場となるように使用されてきた。
【００１３】
しかしながら、一般に、スピーカが設置される部屋は、特定のスピーカを設置するために予め設計されたものではなく、逆に、スピーカは、特定の部屋に設置するために予め設計されたものではなく、従って、最適な音響空間を得ることは非常に困難であった。また、適当な室内に適宜に配設されたスピーカによる音場において、最適なリスニングポジションを知ること、或いは、得ることは困難であった。
【００１４】
また、従来、最適な音響空間を手軽に得られるスピーカをはじめとする音響装置や音響システムは皆無であった。
【００１５】
本発明は、上記問題点に鑑みてなされたものであり、手軽に最適な音響空間を得ることが出来、且つ、最適なリスニングポジションを予め知ることが出来る上、その最適なリスニングポジションで音響を楽しむことが出来る音響室を提供せんとするものである。
【課題を解決するための手段】
【００１６】
上記課題を解決するために本発明の閉多面音響室が採った手段は、略中空多面体形に画成された、十分に人が入ることが可能な大きさの略閉空間を備え、前記略閉空間を成す壁面のうち、一面以上の壁面に、一つ以上の電気音響変換手段が前記略閉空間に向けて配設され、前記略閉空間を成す壁面のうち、一面以上の壁面に、一つ以上の出入口が設えられ、前記電気音響変換手段を駆動することによって、前記略閉空間内を音場とすることを特徴としている。
【００１７】
前記略閉空間は、略多角形状の板面を有する複数のパネルを、適宜に組み合わせて画成されたことを特徴としている。
【００１８】
前記略閉空間を成す略中空多面体形状が、略正多面体形であることを特徴としている。  
【００１９】
前記略正多面体が、略正十二面体であることを特徴としている。
【００２０】
前記略閉空間を成す壁面のうち、一面以上の壁面が、光透過性の素材を含んで構成され、該素材を含んで構成された壁面の該素材を通して、該略閉空間内から外部が視認可能に構成されたことを特徴としている。
【００２１】
前記出入口が、扉部材によって開閉自在に構成されたことを特徴としている。
【００２２】
前記略中空多面体形によって画成されて成る前記略閉空間の外形が、略多面体形を成すことを特徴としている。
【００２３】
前記略中空多面体形によって画成されて成る前記略閉空間の外形が、略正多面体形を成すことを特徴としている。
【００２４】
前記略中空多面体形によって画成されて成る前記略閉空間の外形が、略正十二面体形を成すことを特徴としている。
【００２５】
前記電気音響変換手段が、平面波発生手段であることを特徴としている。
【００２６】
平面波発生手段が、永久磁石と平面コイルとを組み合わせて構成されたフラットパネルスピーカであることを特徴としている。
【００２７】
平面波発生手段が、前記略閉空間を成す一壁面の外面のほぼ中央に固設され、該一壁面のほぼ全体を振動させて、該略閉空間内に平面波を作出することを特徴としている。
【００２８】
前記パネル同士の接合部には、緩衝材が介在されることを特徴としている。
【００２９】
前記閉多面音響室が、適宜に形成された複数の部材を、所要に組み合わせて構成出来、且つ、組立分解自在に構成されたことを特徴としている。
【００３０】
前記閉多面音響室が、室内に設置されることを特徴としている。
【００３１】
前記閉多面音響室が、屋外に設置されることを特徴としている。
【００３２】
前記略中空多面体形によって画成されて成る前記略閉空間の外面には、文字、記号、図形、絵柄等を含んだ情報が表示されることを特徴としている。
【発明の効果】
【００３３】
本発明は、所要に設計された略中空多面体形の略閉空間において、該略閉空間を成す所要の壁面に、該略閉空間の内部の所定の領域に向かって放音する平面波発生手段を配設して閉多面音響室を構成したことにより、予め設定した該閉多面音響室内の該領域を最適なリスニングポイントとすることが出来るという効果がある。
【００３４】
特に、閉多面音響室の内壁を全体として、略正十二面体形にして、底面と平行な天面に連接した五枚の正五角形状のパネルにそれぞれ一つずつのフラットパネルスピーカユニットを配設し、且つ、底面に連接した五枚の正五角形状のパネルのうちの一面に開閉自在な扉部材を設えて出入口を構成し、且つ、該出入口に平行なパネルの左右下部に連接する二枚の正五角形状のパネルのそれぞれの外面のほぼ中央に該パネルのほぼ全体を振動させて該略閉空間内に平面波を作出することが出来るように、閉多面音響室を構成した場合には、該閉多面音響室内で５．１ｃｈのサラウンド・サウンドを得ることが可能となる上、その最適なリスニングポイントが該閉多面音響室の中心となり、圧倒的な音圧の音響が得られる。
【００３５】
また、従来に無い音響空間が得られる他、従来に無い外観の音響空間である為、当該発明の閉多面音響室の外壁面に、文字や記号、図形や絵柄等を含んだ情報、例えば、広告情報等を表示した場合には、従来に無い広告宣伝効果が期待できる。
【発明を実施するための最良の形態】
【００３６】
本発明の実施の形態を、以下に添付図面（図１乃至１２）を参照しながら詳細に説明する。本実施態様の閉多面音響室１０は、図１及び図２に示すように、その内外壁面が略正十二面体形に構成され、内外の略正十二面体形壁面は互いにほぼ相似形を成す。閉多面音響室１０を成す所要の壁面には、それぞれフラットパネルスピーカユニット２０やフラット型ＴＶモニタ３０等が配設され、該閉多面音響室１０内において、音楽や映像を最適なリスニングポイントで鑑賞することが出来るように構成されている。
【００３７】
閉多面音響室１０は、図２及び図３に示すように、略正五角形状を成す十二枚のパネル部材４０から構成される。各パネル部材４０は、内壁面を成す比較的小さな正五角形の楢材から成る板状のインナパネル４０ａと、比較的大きな正五角形の楢材から成る板状のアウタパネル４０ｂと、それらインナパネル４０ａとアウタパネル４０ｂとの間に介在してそれらの両縁部に接合される正五角形の枠状を成す樫材から成る枠状フレーム４０ｃと、この枠状フレーム４０ｃの外面の全周に亘って設えられる緩衝材４０ｄと、インナパネル４０ａを補強する該インナパネル４０ａの背面に配設される適宜の形状に構成された樫材から成る補強フレーム４１ａ，４２ａ，４３ａ，４４ａ，４５ａ，４６ａとから構成される。
【００３８】
パネル部材４０は、設置面に接地する一枚の底面パネル部材４６と、この底面パネル部材４６に平行に配設される最上部に位置する一枚の天面パネル部材４７と、底面パネル部材４６の周縁に接合される五枚の側下面パネル部材４３，４３，４４，４４，４５と、天面パネル部材４７の周縁に接合される五枚の側上面パネル部材４１，４１，４１，４１，４２と、の合計十二枚から成る。
【００３９】
側上部パネル部材４１，４１，４１，４１、４２は、図４（ａ）に示す補強フレーム４１ａ構造の物四枚と、図４（ｂ）に示す補強フレーム４２ａ構造の物一枚と、の合計五枚から成る。
【００４０】
図４（ａ）に示す側上部パネル部材４１は、側上部パネル部材４１のインナパネル４０ａを支持する補強フレーム４１ａが、枠状フレーム４０ｃの上辺部の両端からそれぞれ対向する傾斜した下辺部まで垂下したフレーム４１ｂ，４１ｂを有する。これらのフレーム４１ｂ，４１ｂの間には、上下二本のフレーム４１ｃ，４１ｃが水平方向に延びて架橋される。これら合計四本のフレーム４１ｂ，４１ｂ，４１ｃ，４１ｃからは、それぞれその長手方向の中央部から垂直に外方に延びて枠状フレーム４０ｃに架橋されたフレーム４１ｄ，４１ｄ，４１ｅ，４１ｆを有する。前記中央に位置する上下二本の横に延びたフレーム４１ｃ，４１ｃの間には、これらのフレーム４１ｃ，４１ｃを三等分する位置に縦方向に二本のフレーム４１ｇ，４１ｇが延びて架橋される。この側上部パネル部材４１のインナパネル４０ａのほぼ中央部には、フラットパネルスピーカユニット２０を装着する為のスピーカ装着穴４１ｈが、縦長の長方形状に貫穿されて構成される。
【００４１】
図４（ｂ）に示す側上部パネル部材４２は、側上部パネル部材４２のインナパネル４０ａを支持する補強フレーム４２ａが、枠状フレーム４０ｃの上辺部の両端からそれぞれ対向する傾斜した下辺部まで垂下したフレーム４２ｂ，４２ｂを有する。これらのフレーム４２ｂ，４２ｂの間には、上中下三本のフレーム４２ｃ，４２ｄ，４２ｅが水平方向に延びて架橋される。これら上下の水平に延びたフレーム４２ｃ，４２ｅと、縦方向に延びた二本の前記フレーム４２ｂ，４２ｂとの合計四本のフレーム４２ｂ，４２ｂ，４２ｃ，４２ｅからは、それぞれその長手方向の中央部から垂直に外方に延びて枠状フレーム４０ｃに架橋されたフレーム４２ｆ，４２ｇ，４２ｇ，４２ｈを有する。前記中央に位置する水平方向に延びた中一本のフレーム４２ｄと、水平方向に延びた下一本のフレーム４２ｅの間には、これらのフレーム４２ｄ，４２ｅを三等分する位置に縦方向に二本のフレーム４２ｉ，４２ｉが延びて架橋される。この側状部パネル部材４２のインナパネル４０ａのほぼ中央部の若干下部位には、フラットパネルスピーカユニット２０を装着する為のスピーカ装着穴４２ｊが、横長の長方形状に貫穿されて構成される。尚、この側上部パネル部材４２の内壁面には、フラットパネルスピーカユニット２０の配設位置の直上部位に、フラット型ＴＶモニタ３０を配設することが出来る。
【００４２】
側下部パネル部材４３，４３，４４，４４，４５は、図４（ｃ）に示す補強フレーム４３ａ構造の物二枚と、図４（ｄ）に示す補強フレーム４４ａ構造の物二枚と、図４（ｅ）に示す補強フレーム４５ａ構造の物一枚と、の合計五枚から成る。
【００４３】
図４（ｃ）に示す側下部パネル部材４３は、側下部パネル部材４３のインナパネル４０ａを支持する補強フレーム４３ａが、枠状フレーム４０ｃの下辺部の両端からそれぞれ対向する傾斜した上辺部まで達したフレーム４３ｂ，４３ｂを有する。これらのフレーム４３ｂ，４３ｂの上端間には、一本のフレーム４３ｃが水平方向に延びて架橋される。これら合計三本のフレーム４３ｂ，４３ｂ，４３ｃからは、それぞれその長手方向の中央部から垂直に外方に延びて枠状フレーム４０ｃに架橋されたフレーム４３ｄ，４３ｅ，４３ｅを有して構成される。
【００４４】
図４（ｄ）に示す側下部パネル部材４４は、側下部パネル部材４４のインナパネル４０ａを支持する補強フレーム４４ａが、枠状フレーム４０ｃの下辺部の両端及び該下辺部の長手方向の中央部からそれぞれ対向する傾斜した上辺部及び頂部まで達した三本のフレーム４４ｂ，４４ｃ，４４ｃを有する。これらのフレーム４４ｂ，４４ｃ，４４ｃのうち両端に位置する左右のフレーム４４ｃ，４４ｃの長手方向のほぼ中央部からは、垂直に外方に延びて枠状フレーム４０ｃに架橋されたフレーム４４ｄ，４４ｄを有して構成される。
【００４５】
図４（ｅ）に示す側下部パネル部材４５は、側下部パネル部材４５のインナパネル４０ａを支持する補強フレーム４５ａが、枠状フレーム４０ｃの下辺部の両端からそれぞれ対向する傾斜した上辺部まで達したフレーム４５ｂ，４５ｂを有する。これらのフレーム４５ｂ，４５ｂの上端間には、一本のフレーム４５ｃが水平方向に延びて架橋される。これら合計三本のフレーム４５ｂ，４５ｂ，４５ｃからは、それぞれその長手方向の中央部から垂直に外方に延びて枠状フレーム４０ｃに架橋されたフレーム４５ｄ，４５ｅ，４５ｅを有し、また前記合計三本のフレーム４５ｄ，４５ｅ，４５ｅと枠状フレーム４０ｃの下辺部とによって囲まれたインナパネル４０ａ内の領域及びこの旅域に相当するアウタパネル４０ｂ内の領域には、それぞれ内外に貫通した出入口４５ｆが穿設される。
【００４６】
底面パネル部材４６及び天面パネル部材４７は、図４（ｆ）に示すように、枠状フレーム４０ｃのみによって支持された形状になっている。尚、天面パネル４７は、透明なアクリル板や透明なガラス板等を用いて、閉多面音響室１０内から外部、例えば夜空等を視認することが出来るように構成してもよい。
【００４７】
これら各種パネル部材４０は、図５（Ａ）に示すように、天面パネル部材４７の上辺部に図４（ｂ）に示すタイプの側上部パネル部材４５を接合し、該天面パネル部材４７の他の周辺部には、図４（ａ）に示すタイプの側上部パネル部材４１を接合する。そして、底面パネル部材４６には、図５（Ｂ）に示すように、該底面パネル部材４６の下辺部には、図４（ｅ）に示すタイプの側下部パネル部材４５を接合し、前記底面パネル部材４６と図４（ｅ）との両者に接する位置には、図４（ｃ）に示すタイプの側部パネル部材４３を接合し、前記底面パネル部材４６と図４（ｃ）との両者に接する位置には、図４（ｄ）のタイプの側部パネル部材４４を接合する。
【００４８】
このようなパネル部材４０の配置で得られるのが、図６及び図７に示すフレーム構造の閉多面音響室１０である。これら図６及び図７に示す閉多面音響室１０では、各パネル部材４０のアウタパネル４０ｂを取り外した状態を示している。図６に示すように、側下部パネル部材４３，４４，４５のうち、図４（ｄ）に示すパネル部材４４には、それぞれインナパネル４０ａの背面の中央部に、該インナパネル４０ａ壁面のほぼ全体を振動させて、閉多面音響室１０内に平面波を作出する略円柱状の低音平面波発生用トランスドューサ５０が、その外端面の中央からビス５１一本がねじ込まれて固定される。この低音平面波発生用トランスドューサ５０は、所謂プラスドライバ一本で固設出来るように構成されている（図１２（ｃ）参照）。
【００４９】
図６に示すように、低音平面波発生用トランスドューサ５０が固設された両側下部パネル部材４３，４３の上部に接合された図４（ｂ）に示す側上部パネル部材４２のスピーカ装着穴４２ｊには、横向きにフラットパネルスピーカユニット２０が挿着される。また、図４（ａ）に示す側上部パネル部材４１には、図７に示すように、そのインナパネル４０ａのほぼ中央部に穿設されたスピーカ装着穴４１ｈに、フラットパネルスピーカユニット２０が縦向きに装着される。
【００５０】
また、図４（ｅ）に示すタイプの側下部パネル部材４５には、略長方形状の出入口４５ｆが穿設される。この出入口４５ｆには、図８及び図９に示すように、該出入口４５ｆを開閉自在に閉塞し得る扉部材６０が枢着される。この扉部材６０は、出入口４５ｆとほぼ合同な長方形状の楢材から成る板状を成し、その下辺部が、ヒンジ（図示省略）を介して出入口４５ｆの下辺部に回動自在に枢着される。扉部材６０の左右の上端には、滑車６１，６１を介して一連のワイヤ６２が連通され、該ワイヤ６２の一端が出入口４５ｆの上部の一角部に固定され、他端には把手６３が設けられ、出入口４５ｆの上部の別角部に配設された滑車６４を通して、垂下している。尚、この扉部材６０を開放した状態を閉多面音響室１０内から見た状態を図１０に示す。扉部材６０は、このワイヤ６２の一端に設けられた把手６３を引っ張ったり、戻したりすることで、開閉することが出来るように構成される。扉部材６０の外面には、把手（図示省略）を形成して、外部からの開け閉めをし易くすることが出来る。
【００５１】
以上説明のように構成された閉多面音響室１０は、所要の内壁面にそれぞれ配設された平面波を発生させるフラットパネルスピーカユニット２０や低音平面波発生用トランスドューサ５０等の平面波発生手段によって、それらの駆動時には、該閉多面音響室１０のほぼ中央の領域に最適なリスニングポイントが形成されるように構成される。
【００５２】
従って、図１１示すように、本実施態様の閉多面音響室１０の内部の底面パネル部材４６のほぼ中心に適当な高さの座席７０を配置して、この座席７０に座った視聴者Ｍの頭部が、丁度、該閉多面音響室１０のほぼ中央に位置するように該座席７０を設定すれば、該視聴者Ｍは該座席７０に座っただけで最適なリスニングポイントで、予め所望の音源に接続した該閉多面音響室１０の平面波発生手段によって発生させた音響を楽しむことが出来る。
【００５３】
この際、平面波発生手段を配設したパネル部材４１，４２，４３は、各パネル部材４０同士の接合に、それぞれ緩衝材を介在させたことによって、各平面波発生手段による各パネル部材４０の振動が、互いに接合されたパネル部材４０間で伝達され難くなり、耐共振性が向上し、音質を向上させることができる。
【００５４】
尚、本実施態様のフラットパネルスピーカユニット２０は、図１２（ａ）に示すように、側面及び背面がステンレス製の枠８０で覆われ、前面がアルミダイカスト製のパンチングメタル８１で囲繞されたケーシング内に、所謂平面コイル８２をエッチング形成したポリイミド製の電磁フィルム８３と、永久磁石を前記平面コイル８２に対応させて所要の部位に配設した永久磁石ユニット（図示省略）とを一体化させて成るフラットパネルスピーカモジュール８４（図１２（ｂ）参照）を複数組み込んで構成される。
【００５５】
尚、本発明は、略多角形状の板面を有する複数のパネル部材４０を適宜に組み合わせて、閉空間を形成し、その内壁面が略閉多角体形状を成し、それらの内壁面のうちの所要の壁面に電気音響変換手段が配設されて構成され、適宜の屋内外において組立分解が自在に出来、その内外に人が出入り可能で、その内部に音場が作出される閉多面音響室１０であって、その主旨を逸脱しない範囲において様々な形態で実施することができる。また、図示省略したが本実施態様の外壁面には、文字、記号、図形、絵柄等から成る情報、例えば、広告宣伝情報を表示して、宣伝媒体として利用することも可能である。
【図面の簡単な説明】
【００５６】
【図１】本実施態様の閉多面音響室の内外の構成を同時に示す斜視図である。
【図２】本実施態様の閉多面音響室を構成するパネル部材の接合関係及びその断面構造を示す断面図である。
【図３】本実施態様のパネル部材の構成を示す一パネル部材を内側斜め方向から見た斜視図
【図４】本実施態様の各パネル部材における各補強フレームの構成を示す各アウタパネルを外した状態を示す図
【図５】（Ａ）本実施態様の閉多面音響室の平面図、（Ｂ）本実施態様の閉多面音響室の底面図
【図６】本実施態様の組み上げられた閉多面音響室の各アウタパネルを外した状態を示す背後方向から見た斜視図
【図７】本実施態様の組み上げられた閉多面音響室の各アウタパネルを外した状態を示す側後方向から見た斜視図
【図８】本実施態様の閉多面音響室の斜視図である。
【図９】本実施態様の閉多面音響室の扉部材を前倒させて出入口を開放させた状態の斜視図である。
【図１０】本実施態様の閉多面音響室の扉部材を前倒させて出入口を開放させた状態を該閉多面音響室の内部から出入口を見た斜視図である。
【図１１】本実施態様の閉多面音響室の一側上部パネル部材を取り外した状態を外部から見た斜視図であって、最適なリスニングポイントで視聴者が座席に座っている状態を示す図である。
【図１２】本実施態様の電気音響変換手段であり、（ａ）はフラットパネルスピーカユニットの外観斜視図、（ｂ）フラットパネルスピーカモジュールの斜視図、（ｃ）低音平面波発生用トランスドューサの斜視図である。
【符号の説明】
【００５７】
１０  閉多面音響室
２０  フラットパネルスピーカユニット
３０  フラット型ＴＶモニタ
４０  パネル部材
４０ａ  インナパネル
４０ｂ  アウタパネル
４０ｃ  枠状フレーム
４０ｄ  緩衝材
４１  側上面パネル部材
４１ａ  補強フレーム
４１ｂ〜ｇ  フレーム
４１ｈ  スピーカ装着穴
４２  側上面パネル部材
４２ａ  補強フレーム
４２ｂ〜ｉ  フレーム
４２ｊ  スピーカ装着穴
４３  側下部パネル部材
４３ａ  補強フレーム
４３ｂ〜ｅ  フレーム
４４  側下部パネル部材
４４ａ  補強フレーム
４４ｂ〜ｄ  フレーム
４５  側下部パネル部材
４５ａ  補強フレーム
４５ｂ〜ｅ  フレーム
４５ｆ  出入口
４６  底面パネル部材
４７  天面パネル部材
５０  低音平面波発生用トランスドューサ
５１  ビス
６０  扉部材
６１  滑車
６２  ワイヤ
６３  把手
６４  滑車
７０  座席
８０  ステンレス製の枠
８１  パンチングメタル
８２  平面コイル
８３  電磁フィルム
８４  フラットパネルスピーカモジュール
Ｍ  視聴者 
【図１】
2009128722.tif 000003
【図２】
2009128722.tif 000004
【図３】
2009128722.tif 000005
【図４】
2009128722.tif 000006
【図５】
2009128722.tif 000007
【図６】
2009128722.tif 000008
【図７】
2009128722.tif 000009
【図８】
2009128722.tif 000010
【図９】
2009128722.tif 000011
【図１０】
2009128722.tif 000012
【図１１】
2009128722.tif 000013
【図１２】
2009128722.tif 000014